(57)【要約】      （修正有）【課題】ブラシ体を保持する取付具を柄に取り付けなくてもブラシ体を保持可能な柄付きブラシを提供することにより、作業場の省スペース化及び移送コストの抑制を図る。【解決手段】柄付きブラシ１は、繊維を束ねたブラシ体２と、このブラシ体２が先端に取り付けられる柄４と、前記ブラシ体２を前記柄４に取り付ける取付具３とを備えた柄付きブラシであって、前記取付具３は、基部３１と、前記基部３１の一側に突出する複数の挟持片３２と、前記基部３１の他側直近に係止部３３とを備え、前記挟持片３２が可撓性を有し、この各挟持片３２間において、その挟持片３２同士の撓み反力により前記ブラシ体２が挟持されて拘束されており、前記柄４の先端には、前記取付具３の係止部３３を係合する係合部４１が設けられている。【選択図】図１
2012187305.tif 000002
【特許請求の範囲】
【請求項１】
繊維を束ねたブラシ体と、このブラシ体が先端に取り付けられる柄と、前記ブラシ体を前記柄に取り付ける取付具とを備えた柄付きブラシであって、
前記取付具は、基部と、前記基部の一側に突出する複数の挟持片と、前記基部の他側直近に係止部とを備え、
前記挟持片が可撓性を有し、この各挟持片間において、その挟持片同士の撓み反力により前記ブラシ体が挟持されて拘束されており、
前記柄の先端には、前記ブラシ体が挟持された取付具の係止部を係合する係合部が設けられていることを特徴とする柄付きブラシ。
【請求項２】
前記ブラシ体は、前記繊維を簀子状に束ねて形成され、前記挟持片の突出方向と当該繊維の配列方向が略垂直となるように、前記挟持片に挟持されている請求項１に記載の柄付きブラシ。
【請求項３】
前記ブラシ体が、前記挟持片の突出端よりも前方に突出している請求項２に記載の柄付きブラシ。
【請求項４】
前記ブラシ体は、前記繊維を簀子状に束ねて形成され、前記挟持片の突出方向と当該繊維の配列方向が略一致するように、前記挟持片に挟持されている請求項１に記載の柄付きブラシ。
【請求項５】
前記各挟持片には、その挟持片間で挟持されたブラシ体を貫通して保持する楔が設けられている請求項１から請求項４のいずれか１項に記載の柄付きブラシ。
【発明の詳細な説明】
【技術分野】
【０００１】
本発明は、トイレ用や風呂用などの清掃ブラシ又はコップなどの食器洗いブラシ等のように柄の先端にブラシ体を設けた構造の柄付きブラシに関する。
【背景技術】
【０００２】
従来、この種の柄付きブラシとしては、繊維を束ねたブラシ体と、このブラシ体が先端に取り付けられる柄と、ブラシ体を柄に取り付ける取付具とを備えたものが知られている（例えば、特許文献１参照）。そして、取付具は、ブラシ体を保持するＣ型環部と、このＣ型環部の開口両端部から突出する一対の止め片とを備え、この各止め片の先端よりそれぞれ外方に突出する突起部が、前記柄の先端から背面に貫通する係止孔に各止め片を挿入した際に抜け落ち不能に係止されることで、ブラシ体を柄の先端に取り付けるようにしている。
【先行技術文献】
【特許文献】
【０００３】
【特許文献１】特許第３８５５２１８号公報
【発明の概要】
【発明が解決しようとする課題】
【０００４】
ところが、前記従来のものでは、Ｃ型環部の開口両端部が自由端であるため、Ｃ型環部を柄の先端に係止しなければブラシ体を保持できない。そのため、Ｃ型環部を柄の先端に取り付けなければＣ型環部にブラシ体を拘束できず、長い柄によって大きな作業スペースが必要となる。
また、製品の納入時等にも、ブラシ体と柄とを一体にした製品として移送する必要があるため、製品が嵩張り、製品１つ当たりの移送コストが高くなる。
【０００５】
本発明はかかる点に鑑みてなされたものであり、その目的とするところは、ブラシ体を柄に取り付けなくとも拘束可能な取付具を構成し、作業スペースの省スペース化及び製品１つ当たりの移送コストの低廉化を図ることができる柄付きブラシを提供することにある。
【課題を解決するための手段】
【０００６】
前記目的を達成するためになされた発明は、繊維を束ねたブラシ体と、このブラシ体が先端に取り付けられる柄と、前記ブラシ体を前記柄に取り付ける取付具とを備えた柄付きブラシであって、前記取付具は、基部と、前記基部の一側に突出する複数の挟持片と、前記基部の他側直近に係止部とを備え、前記挟持片が可撓性を有し、この各挟持片間において、その挟持片同士の撓み反力により前記ブラシ体が挟持されて拘束されており、前記柄の先端には、前記ブラシ体が挟持された取付具の係止部を係合する係合部が設けられていることを特徴とする。
【０００７】
このように、本発明の柄付きブラシにおいては、取付具と、柄とを互いに独立して成型したものを係合する構造とするとともに、挟持片の撓み反力によりブラシ体を挟持して拘束する構造とすることで、取付具を柄に取り付けなくてもブラシが拘束され、柄にブラシ体を取り付ける作業まで行う必要がなくなり、作業場の省スペース化を図ることが可能となる。また、ブラシ体を取付具に取り付けた状態で製品として移送でき、ブラシと柄とを分離して移送できるため、移送時に製品が嵩張らず、移送コストの低廉化を図ることが可能となる。
【０００８】
また、前記ブラシ体は、前記繊維を簀子状に束ねて形成され、前記挟持片の突出方向と当該繊維の配列方向（繊維の延びる方向）が略垂直となるように、前記挟持片に挟持されていることが好ましい。
浴槽や便器等を清掃する場合には、柄付ブラシの正面又は背面側においてブラシ体を壁に押し当てて清掃するケースが多く、繊維の配列方向と挟持片の突出方向とを略垂直となるようにブラシ体を挟持片で挟持することで、ブラシ体の繊維の先端を柄付ブラシの正面側又は背面側に向けることができ、ブラシ体の繊維の先端を壁に押し当てることができるため、清掃効果をより高めることができる。
【０００９】
また、前記ブラシ体は前記挟持片の突出端よりも前方に突出していることが好ましい。こうすることで、例えば、コップ等の容器の内側を洗浄する際に挟持片が容器の底に衝突することを抑制し、容器の損傷を抑制することができる。
【００１０】
また、前記ブラシ体は、前記繊維を簀子状に束ねて形成され、前記挟持片の突出方向と当該繊維の配列方向が略一致するように、前記挟持片に挟持されていてもよい。
こうすることで、挟持片の突出方向にブラシ体の繊維の先端を向けることができ、例えば、容器の底を洗浄する際に、この底に効率よく繊維の先端を押し当てることができるため、清掃効果をより高めることができる。
【００１１】
さらに、前記各挟持片には、その挟持片間で挟持されたブラシ体を貫通して保持する楔が設けられていることが好ましい。
こうすることで、ブラシ体をより安定して保持することができ、壁等に激しくブラシ体をこすりつける場合にも、ブラシ体が挟持片から離脱することを確実に防止することができる。
【発明の効果】
【００１２】
以上説明したように、本発明の柄付きブラシによれば、ブラシ体を保持する取付具を柄に取り付けることなくブラシ体を保持することが可能であり、工場作業時において柄まで取り付ける必要がないため作業場の省スペース化が図れるとともに、ブラシと柄を分離して移送できるため、製品の嵩を小さくして移送コストの抑制を図ることができる。
【図面の簡単な説明】
【００１３】
【図１】本発明の第１の実施の形態に係る柄付きブラシの正面図である。
【図２】図１の柄付きブラシの側面図である。
【図３】図１の柄付きブラシのブラシ体の正面図である。
【図４】図１と同じ取付具にブラシ体を取り付ける他の取付け例の説明図である。
【図５】本発明の第２の実施の形態に係る柄付きブラシの正面図である。
【図６】図５の柄付きブラシの平面図である。
【図７】図５の柄付きブラシと同じ取付具を用いた他の実施の形態の説明図である。
【図８】本発明の第３の実施の形態に係る柄付きブラシの説明図である。
【図９】本発明の他の実施の形態に係る柄付きブラシの説明図である。
【図１０】図１とは異なる係止部及び係合部の例を示した斜視図である。
【発明を実施するための形態】
【００１４】
以下、適宜図面を参照しながら、本発明の実施の形態について詳述する。尚、本発明の柄付きブラシは、以下の実施の形態に限定されるものではない。
【００１５】
図１は、本発明の第１の実施の形態に係る柄付きブラシを示し、この柄付きブラシ１は、ブラシ体２、取付具３、柄４を備えている。
【００１６】
ブラシ体２は、図３に示すように、略同寸法の長さに揃えられた多数の撚り糸２１を、その配列方向（撚り糸２１の延びる方向）に垂直な方向が長手となるように簀子状に束ね、その配列方向の略中央部を前記配列方向と略垂直な２本の縫合線に即して縫合することにより形成される。即ち、ブラシ体２は、中央部を長手方向に延びる２本の平行な縫合線に挟まれる縫合部２２と、その両縫合線から左右（繊維の配列方向）に延出する多数の撚り糸２１からなる。撚り糸２１は、繊維２１ａを撚り合わせて形成される。
繊維２１ａとしては、例えばナイロン繊維、エステル繊維等の合成繊維や羊毛、豚毛等の天然繊維が適用される他、公知の繊維を適宜用いることができる。また、撚り糸の代わりに単糸を用いることもできる。
尚、撚り糸２１をバイアステープで束ね、このバイアステープの幅方向の両端部に沿って縫合線を設けてもよい。こうすることで、撚り糸２１が抜け落ちることを抑制することができる。
【００１７】
図１に示すように、取付具３は、基部３１と、基部３１から上側に突出し、正面視で左右に位置する一対の挟持片３２，３２と、基部３１から下方に延出する係止部３３とを備えている。
一対の挟持片３２，３２は、互いに向き合うように略対称形をなし、その対向面の一方には、のこぎり歯状の係止歯３２ａを３個、他方には２個備えている。これらの係止歯３２ａ，…は、正面視で上下に位置をずらして左右の歯が互い違いに噛合するよう設けられている。また、左右の係止歯３２ａ，…は、先端が平面視で重なるよう設けられている。係止部３３は、下端の正面側に突出する凸条部３３ａを備えており、凸条部３３ａが、後述する柄４の係合部４１の係合爪４１ｃに係止することにより、係止部３３が係合部４１に係合する。取付具３は、上記従来の柄付きブラシのＣ型環部に比べ幅方向の嵩が小さいため、細い容器の底部にも挿入することができる。
取付具３は、例えばポリエチレン樹脂やポリプロピレン樹脂のような合成樹脂により一体的に形成される他、適当な強度及び可撓性を有するものであれば、各種の材料を適宜用いて形成することができる。
【００１８】
柄４は、棒状をしており、上端の係合部４１と、円柱状の中央部４２と、下部の略半分を占める扁平状の握り部４３とを備えている。係合部４１は、柄４の上端から正面に貫通する側面視断面が略Ｌ字型の貫通孔４１ａを備えている。貫通孔４１ａの正面側の開口部４１ｃは略長方形をしており、その上側の辺から下方かつ内側に突出する係止爪４１ｂが設けられている。握り部４３の下端には、フック４４が設けられている。柄４の材料としては、取り付け具３に用いる材料を好適に用いることができる。
【００１９】
ブラシ体２は、長手方向の両端を重ね合わせるように２つ折りにした状態で、撚り糸２１の配列方向と挟持片３２の突出方向とが略垂直になるように、重ね合わせた両端部から一対の挟持片３２，３２の間に挿入されて、挟持される。このとき、可撓性を有する一対の挟持片３２，３２は、外側へと押し広げられるように撓んで、その撓み反力によりブラシ体２を挟持する。左右の係止歯３２ａ，…が、ブラシ体２を挟んだまま噛合して拘束し、ブラシ体２の抜け落ちを防止する。
【００２０】
第１の実施の形態の柄付ブラシ１は、撚り糸２１（繊維２１ａ）の先端が、柄付ブラシ２の正面側又は背面側を向くようにブラシ体２が取り付けられるため、浴槽や便器の内壁を清掃する際には、撚り糸２１（繊維２１ａ）の先端を清掃する部位に押し当てることができるため、効率よく汚れを除去することができる。
【００２１】
また、第１の実施の形態においては、ブラシ体２が、一対の挟持片３２，３２の突出端よりも前方に突出するよう取り付けられている。これにより、コップの内側を洗浄する際に取付具３（一対の挟持片３２，３２）の先端が、コップの底に当たることがなく、コップを傷つけたり、破損したりすることを抑制できる。
【００２２】
尚、取付具３の係止部３３と柄４の係合部４１は、上述した構造に限られず、各種の構造を採用することができる。例えば、図１０(ａ)では、取付具３の係止部３３の下端を、半円状に尖らせた先端部分３３ｂと、その上部の左右に設けた一対のくびれ部３３ｃからなる略錨型とし、柄４の係合部４１には、上端から正面に貫通する貫通孔を設け、垂直方向の孔部から水平方向の孔部への開口部に一対の係合片４１ｄ，４１ｄを設けて、一対のくびれ部３３ｃ，３３ｃが一対の係合片４１ｄ，４１ｄに係合する構造としている。図１０(ｂ)では、係止部３３下端に、正面側に突出する係止用突起３３ｄと、背面側の下端に、後述の挿入孔に係止部３３を挿入する際に係止用突起３３ｄを逃がすための凹部３３ｅとを設け、係合部４１の上端の挿入孔の正面側に係合用貫通孔４１ｅを設けた構造としている。また、図１０(ｃ)では、係止部３３の下端を左右に分かれる二股形状とし、その両側面に外側へ突出する一対の係止用突起３３ｆ，３３ｆを設け、係合部４１には、柄４の上端の挿入孔の両側面に、一対の係合用貫通孔４１ｆ，４１ｆを設け、一対の係止用突起３３ｆ，３３ｆが一対の係合用貫通穴４１ｆ，４１ｆと係合する構造としている。
【００２３】
このように、柄付きブラシ１においては、取付具３と、柄４とを互いに独立して成型したものを係合する構造とするとともに、挟持片３２の撓み反力によりブラシ体２を保持する構造としたため、作業時において柄４にブラシ体２を取り付ける作業まで行う必要がなく、作業場の省スペース化を図ることができる。また、ブラシ体２と柄４とを分離した状態で移送できるため、移送時に製品が嵩張らず、製品１つ当たりの移送コストを抑制できる。さらに、ブラシ体２や取付具３に改良や意匠変更がなされた場合に、取付具３やブラシ体２のみを改良品に変更して、柄４は従来のものを続けて使用できるため、柄４まで新しくする場合に比べて製作コストを抑制することができる。
【００２４】
次に、本発明の第２の実施の形態を図５及び図６に基づいて説明する。第２の実施の形態の柄付ブラシ５１は、ブラシ体２、取付具５３、柄４を備える。尚、第２の実施の形態の他、第１の実施の形態以外の実施の形態の説明において、第１の実施の形態と共通する部材については、同じ符号を付して説明を省略する。また、図４及び図７〜図９において、プラシ体２は、縫合部２２のみを図示している。
【００２５】
図５に示すように、取付具５３は、基部５３１と、基部５３１から上側に突出する３本の挟持片と、基部５３１から下方に延出する係止部３３とを備えている。
３本の挟持片は、正面視で左右に位置し、互いに対称形をなす一対の挟持片５３２，５３２と、その間に突出する挟持片５３４とからなる。左右の挟持片５３２，５３２は、互いに向き合うように略対称形をなし、その対向面に、のこぎり歯状の係止歯５３２ａを各３個備えている。その間に位置する挟持片５３４の、左右の挟持片５３２，５３２との対抗面には、係止歯５３２ａと噛合する係止歯５３４ａが各３個設けられている。係止歯５３２ａと係止歯５３４ａとは、上下に互い違いに噛合するよう設けられている。
取付具５３の材料としては、第１の実施の形態の取付具３に用いる材料を好適に用いることができる。
【００２６】
本実施の形態においては、ブラシ体２は、挟持片の突出方向と繊維２１ａの配列方向が略一致するように、挟持片に挟持されている。詳細には、図６に示すように、ブラシ体２の長手方向の一端を一の挟持片５３２と中央の挟持片５３４との間で挟持したのち、ブラシ体２を３本の挟持片５３２，５３４，５３２をまとめて包むように、これらの外周に略１周巻きつけ、ブラシ体２の他端を他の挟持片５３２と中央の挟持片５３４との間で挟持する。このようにして、ブラシ体２を取付具５３に取り付けることで、撚り糸２１（繊維２１ａ）の先端を挟持片の突出方向に向けることができ、例えば、容器の底を洗浄する際に、容器の底に効率よく繊維の先端を押し当てることができるため、清掃効果をより高めることができる。
【００２７】
次に、第３の実施の形態を、図８に基づいて説明する。第３の実施の形態の柄付ブラシ６１は、ブラシ体２、取付具６３、柄４及び楔５を備えている。第３の実施の形態の取付具６３は、第１の実施の形態の取付具３と概形状を共通とするため、両取付具で共通する部位については、同じ符号を付して説明を省略する。図取付具６３の左右の挟持片３２，３２は、対向する位置に、一直線に連続する貫通孔３２ｂ，３２ｂをそれぞれ備えている。楔５は先のとがった略円錐状の先端部５ａと、棒状の本体部５ｂと、後端側に鍔状部５ｃを備える。第３の実施の形態では、第１の実施の形態と同様にブラシ体２を二つ折りにして取付具６３で挟持する。ブラシ体２を取付具６３に取り付けた後、楔５を、左（又は右）の貫通孔３２ｂに先端部５ａから挿通し、続けて挟持片３２，３２間に挟持されたブラシ体２に貫通させた後、右（又は左）の貫通孔３２ｂに挿通する。楔５の先端部５ａと鍔状部５ｃが左右の貫通孔３２ｂ，３２ｂの外側開口部に係止し、左右の挟持片３２，３２を引き寄せて拘束する。このように、楔５でブラシ体２を貫通するとともに、左右の挟持辺３２，３２を引き寄せてより強固にブラシ体２を拘束することで、ブラシ体２が取付具６３から抜け落ちることを防止できる。
【００２８】
尚、本発明は上記実施の形態に限定されるものではなく、その他種々の変形例を包含している。例えば、上記第１の実施の形態では、長手方向に２つ折りにしたブラシ体２を、挟持片３２，３２間に挿入したが、図４（ａ）に示すように、ブラシ体２をＭ字に四つ折りにして、挟持片３２，３２間に挿入してもよい。このようにブラシ体２を取り付けることで、ブラシ体２のボリュームを増やすことができる。
図４（ｂ）に示すように、ブラシ体２は、長手方向の両端を内側に折り込むように四つ折りにして挟持片３２，３２間に挿入してもよい。このようにブラシ体２を取り付けることで、ブラシ体２の長さを短くするとともに、ブラシ体２の先端が割れることを防止できるため、柄付きブラシ１に加えた力を効率よく、ブラシ体２の先端に集中させることができる。
また、図４(ｃ)に示すように、ブラシ体２を略８の字にして、長手方向の両端と中央部とを一対の挟持片３２，３２間に挿入して挟持してもよいし、図４(ｄ)に示すように、ブラシ体２を環状にして、長手方向の両端を一対の挟持片３２，３２間に挿入して、挟持してもよい。
尚、図示しないが、ブラシ体２を長手方向に３つ折りあるいは５つ折り以上にして、挟持片３２，３２間に挿入してもよい。
【００２９】
上記第２の実施の形態においては、ブラシ体２を繊維２１ａの配列方向と挟持片の突出方向が略垂直になるように取付具５３で挟持したが、図７に示すように、ブラシ体２を長手方向に二つ折りにして、繊維２１ａの配列方向と挟持片の突出方向が略平行となるように、挟持してもよい。
【００３０】
あるいは、取付具の挟持片を４本以上とすることも可能である。例えば、図９(ａ)に示すように、２対の対向する挟持片を平面視で一直線状に並ぶように構成してもよいし、図９(ｂ)に示すように、平面視で正方形の頂点に位置するように４本の挟持片を配設してもよい。
【００３１】
また、本発明の柄付きブラシは、ブラシ体を挟持して保持することができれば、係止歯を設けなくともよいし、係止歯を上記した実施例と異なる数としてもよい。また、楔を複数本設けることもできる。係止歯の形状は、上記したものに限られず、先端を平らな形状や、丸い形状とすることもできる。対向する係止歯の先端同士が噛合するようにしてもよい。
【産業上の利用可能性】
【００３２】
本発明の柄付きブラシは、ブラシ体を保持する取付具を柄に取り付けなくともブラシ体を保持することが可能であり、作業時において柄まで取り付ける必要がないため作業場の省スペース化が図れるとともに、ブラシと柄を分離して移送できるため、製品の嵩を小さくして製品１つ当たりの移送コストの低廉化を図ることができる。よって本発明の柄付きブラシは、トイレ用や風呂用などの清掃ブラシ又はコップ等の食器洗いブラシ等のように柄の先端にブラシ体を設けた構造の柄付きブラシに好適に用いることができる。
【符号の説明】
【００３３】
１，５１，６１，７１，８１
柄付きブラシ
２      ブラシ体
２１ａ  繊維
３，５３，６３，７３，８３
取付具
３１，５３１，７３１
基部
３２，５３２，７３２，８３２
挟持片
３３    係止部
４      柄
４１    係合部
５      楔
【図１】
2012187305.tif 000003
【図２】
2012187305.tif 000004
【図３】
2012187305.tif 000005
【図４】
2012187305.tif 000006
【図５】
2012187305.tif 000007
【図６】
2012187305.tif 000008
【図７】
2012187305.tif 000009
【図８】
2012187305.tif 000010
【図９】
2012187305.tif 000011
【図１０】
2012187305.tif 000012